(57)【要約】【課題】本発明は収納しやすい創意コーヒースプーンを開示した。  【解決手段】スプーン主体及び前記スプーンに設置された収納チャンバを含み、前記収納チャンバの頂壁の中には折り畳みチャンバが連通され、前記折り畳みチャンバの中には収納装置が設置され、前記収納チャンバの底壁の中にはギヤチャンバが設置され、前記ギヤチャンバの中には密封装置が設置され、前記ギヤチャンバの左側壁の中にはカムチャンバが設置され、本発明の設備は同じ動力源を利用して前記コーヒースプーンの収納と洗浄を連動させ、同時に上記機能の切り換える過程の中でスプーンの密封を実現し、スプーンをもっと衛生的にし、もっと携帯しやすくする。【選択図】図１
2020175161.tif 000002
【特許請求の範囲】
【請求項１】
正面視で、スプーン主体及び前記スプーンに設置された収納チャンバを含み、前記収納チャンバの頂壁の中には折り畳みチャンバが連通され、前記折り畳みチャンバの中には収納装置が設置され、前記収納チャンバの底壁の中にはギヤチャンバが設置され、前記ギヤチャンバの中には密封装置が設置され、前記ギヤチャンバの左側壁の中にはカムチャンバが設置され、前記カムチャンバと前記ギヤチャンバとの間には第一ウォームが回転できるように設置され、前記ギヤチャンバの中の前記第一ウォームの末端には第一べベルギヤが固定され、前記カムチャンバの中には第一回転軸が回転できるように設置され、前記第一回転軸の外部には前記第一ウォームと噛み合っている第一ウォームホイールと、前記第一ウォームホイールの前側に位置しているカムとが固定的に設置され、前記カムチャンバの底壁の中にはスライドチャンバが設置され、前記スライドチャンバの中にはスライダがスライドできるように設置され、前記スライドチャンバと前記カムチャンバとの間にはスライド孔が連通され、前記スライド孔の中には前記スライダと固定的に連結されたスライドロッドがスライドできるように設置され、前記スライドロッドと前記スライド孔の端壁との間には復帰装置が弾性を持つように設置され、前記スライドチャンバの右側壁の中には切換チャンバが連通され、前記切換チャンバの中には切換装置が設置され、前記切換チャンバの右側壁の中には水汲みチャンバが設置され、前記水汲みチャンバの底壁の中にはピストンチャンバが設置され、前記ピストンチャンバの中にはピストンが上下にスライドできるように設置され、前記ピストンチャンバの中には洗浄装置が設置され、前記ピストンチャンバの底壁の中には前記スプーン主体の外部に連通している水入り孔が設置され、前記水入り孔の中には第一逆止め弁が設置され、前記スプーン主体の底壁の中には前記収納チャンバに連通している排水孔が設置され、前記収納装置と、前記密封装置と、前記切換装置と、前記洗浄装置とが協働し合い、これによりスプーンの収納と洗浄を実現することを特徴とする収納しやすい創意コーヒースプーン。
【請求項２】
前記収納装置は前記折り畳みチャンバの中に回転できるように設置された第二回転軸を含み、前記第二回転軸の外部にはスプーンの柄が固定的に設置され、前記スプーンの柄の中にはヒンジチャンバが設置され、前記ヒンジチャンバの中の前記第二回転軸の外部には第二ウォームホイールが固定的に設置され、前記スプーンの柄の末端にはスプーンが固定され、前記折り畳みチャンバの左側壁の中には下方へ伸びているベルトチャンバが設置され、前記ベルトチャンバと前記折り畳みチャンバとの間には前記第一ウォームホイールと噛み合っている第二ウォームが回転できるように設置され、前記ベルトチャンバの中の前記第二ウォームの末端には第一プーリが固定され、スプーンを収納することに便利を与え、スプーンの携帯をもっと便利又は衛生的にすることを特徴とする請求項１に記載の収納しやすい創意コーヒースプーン。
【請求項３】
前記密封装置は前記収納チャンバの底壁の中に設置された前記ギヤチャンバを貫通している密封チャンバを含み、前記密封チャンバの中には左側壁がラックを有する密封ドアがスライドできるように設置され、前記ギヤチャンバの中には第三回転軸が回転できるように設置され、前記第三回転軸が前記ギヤチャンバの後側壁の中に固定的に設置された第一モーターと動力が伝達できるように連結され、前記第三回転軸の外部には前記第一べベルギヤと噛み合っている第二べベルギヤと、前記第二べベルギヤの前側に位置しており、且つ前記密封ドアにあるラックと噛み合っている第一ギヤとが固定的に設置され、これによりスプーンの密封を実現でき、スプーンが外界のウイルスに感染されることを防止することを特徴とする請求項１に記載の収納しやすい創意コーヒースプーン。
【請求項４】
前記切換装置は前記スライダの右側壁の中に固定的に設置された第二モーターを含み、前記第二モーターの出力軸の右方へ伸びている末端には第二ギヤが固定され、前記切換チャンバと前記ベルトチャンバとの間には第四回転軸が回転できるように設置され、前記切換チャンバの中の前記第四回転軸の末端には第三ギヤが固定され、前記ベルトチャンバの中の前記第四回転軸の末端には第二プーリが固定され、前記第二プーリと前記第一プーリとの間はベルトにより伝動できるように連結され、これにより設備の前記洗浄装置と前記収納装置との間の動力切換を実現することを特徴とする請求項１に記載の収納しやすい創意コーヒースプーン。
【請求項５】
前記洗浄装置は前記水汲みチャンバと前記切換チャンバの間に回転できるように設置された第五回転軸を含み、前記切換チャンバの中の前記第五回転軸の末端には前記第二ギヤと噛み合っている第四ギヤが固定され、前記水汲みチャンバの中の前記第五回転軸の末端には回転盤が固定され、前記回転盤の右側壁にはヒンジ連結ロッドがヒンジにより連結され、前記水汲みチャンバと前記ピストンチャンバとの間には連通孔が連通され、前記連通孔の中には前記ピストンと固定的に連結された推しロッドがスライドできるように設置され、前記推しロッドが前記ヒンジ連結ロッドとヒンジにより連結され、前記ピストンチャンバと前記収納チャンバとの間には水噴き管が連通され、前記水噴き管の中には第二逆止め弁が設置され、これによりスプーンの洗浄を実現することを特徴とする請求項１に記載の収納しやすい創意コーヒースプーン。
【発明の詳細な説明】
【技術分野】
【０００１】
本発明は飲食物用品分野を取り上げて、具体的には収納しやすい創意コーヒースプーンである。
【背景技術】
【０００２】
人はコーヒーを飲む時によく自分好みで適当な砂糖を入れ、時々砂糖が入れられた後溶けにくく、適当に撹拌して砂糖の溶けることを速め、しかし従来のコーヒースプーンは携帯しにくく、且つ衛生上よくなく、そのため、携帯しやすくて洗浄しやすいコーヒースプーンを設計して上記の問題を改善する必要がある。    
【先行技術文献】
【特許文献】
【０００３】
【特許文献１】中国特許出願公開第109589267号明細書
【発明の概要】
【発明が解決しようとする課題】
【０００４】
本発明は収納しやすい創意コーヒースプーンを提供し、従来技術における上記欠点を解消して設備の実用性を高めることを目的とする。
【課題を解決するための手段】
【０００５】
本発明の収納しやすい創意コーヒースプーンは、スプーン主体及び前記スプーンに設置された収納チャンバを含み、前記収納チャンバの頂壁の中には折り畳みチャンバが連通され、前記折り畳みチャンバの中には収納装置が設置され、前記収納チャンバの底壁の中にはギヤチャンバが設置され、前記ギヤチャンバの中には密封装置が設置され、前記ギヤチャンバの左側壁の中にはカムチャンバが設置され、前記カムチャンバと前記ギヤチャンバとの間には第一ウォームが回転できるように設置され、前記ギヤチャンバの中の前記第一ウォームの末端には第一べベルギヤが固定され、前記カムチャンバの中には第一回転軸が回転できるように設置され、前記第一回転軸の外部には前記第一ウォームと噛み合っている第一ウォームホイールと、前記第一ウォームホイールの前側に位置しているカムとが固定的に設置され、前記カムチャンバの底壁の中にはスライドチャンバが設置され、前記スライドチャンバの中にはスライダがスライドできるように設置され、前記スライドチャンバと前記カムチャンバとの間にはスライド孔が連通され、前記スライド孔の中には前記スライダと固定的に連結されたスライドロッドがスライドできるように設置され、前記スライドロッドと前記スライド孔の端壁との間には復帰装置が弾性を持つように設置され、前記スライドチャンバの右側壁の中には切換チャンバが連通され、前記切換チャンバの中には切換装置が設置され、前記切換チャンバの右側壁の中には水汲みチャンバが設置され、前記水汲みチャンバの底壁の中にはピストンチャンバが設置され、前記ピストンチャンバの中にはピストンが上下にスライドできるように設置され、前記ピストンチャンバの中には洗浄装置が設置され、前記ピストンチャンバの底壁の中には前記スプーン主体の外部に連通している水入り孔が設置され、前記水入り孔の中には第一逆止め弁が設置され、前記スプーン主体の底壁の中には前記収納チャンバに連通している排水孔が設置され、前記収納装置と、前記密封装置と、前記切換装置と、前記洗浄装置とが協働し合い、これによりスプーンの収納と洗浄を実現する。
【０００６】
好ましくは、前記収納装置は前記折り畳みチャンバの中に回転できるように設置された第二回転軸を含み、前記第二回転軸の外部にはスプーンの柄が固定的に設置され、前記スプーンの柄の中にはヒンジチャンバが設置され、前記ヒンジチャンバの中の前記第二回転軸の外部には第二ウォームホイールが固定的に設置され、前記スプーンの柄の末端にはスプーンが固定され、前記折り畳みチャンバの左側壁の中には下方へ伸びているベルトチャンバが設置され、前記ベルトチャンバと前記折り畳みチャンバとの間には前記第一ウォームホイールと噛み合っている第二ウォームが回転できるように設置され、前記ベルトチャンバの中の前記第二ウォームの末端には第一プーリが固定され、スプーンを収納することに便利を与え、スプーンの携帯をもっと便利又は衛生的にする。
【０００７】
好ましくは、前記密封装置は前記収納チャンバの底壁の中に設置された前記ギヤチャンバを貫通している密封チャンバを含み、前記密封チャンバの中には左側壁がラックを有する密封ドアがスライドできるように設置され、前記ギヤチャンバの中には第三回転軸が回転できるように設置され、前記第三回転軸が前記ギヤチャンバの後側壁の中に固定的に設置された第一モーターと動力が伝達できるように連結され、前記第三回転軸の外部には前記第一べベルギヤと噛み合っている第二べベルギヤと、前記第二べベルギヤの前側に位置しており、且つ前記密封ドアにあるラックと噛み合っている第一ギヤとが固定的に設置され、これによりスプーンの密封を実現でき、スプーンが外界のウイルスに感染されることを防止する。
【０００８】
好ましくは、前記切換装置は前記スライダの右側壁の中に固定的に設置された第二モーターを含み、前記第二モーターの出力軸の右方へ伸びている末端には第二ギヤが固定され、前記切換チャンバと前記ベルトチャンバとの間には第四回転軸が回転できるように設置され、前記切換チャンバの中の前記第四回転軸の末端には第三ギヤが固定され、前記ベルトチャンバの中の前記第四回転軸の末端には第二プーリが固定され、前記第二プーリと前記第一プーリとの間はベルトにより伝動できるように連結され、これにより設備の前記洗浄装置と前記収納装置との間の動力切換を実現する。
【０００９】
好ましくは、前記洗浄装置は前記水汲みチャンバと前記切換チャンバの間に回転できるように設置された第五回転軸を含み、前記切換チャンバの中の前記第五回転軸の末端には前記第二ギヤと噛み合っている第四ギヤが固定され、前記水汲みチャンバの中の前記第五回転軸の末端には回転盤が固定され、前記回転盤の右側壁にはヒンジ連結ロッドがヒンジにより連結され、前記水汲みチャンバと前記ピストンチャンバとの間には連通孔が連通され、前記連通孔の中には前記ピストンと固定的に連結された推しロッドがスライドできるように設置され、前記推しロッドが前記ヒンジ連結ロッドとヒンジにより連結され、前記ピストンチャンバと前記収納チャンバとの間には水噴き管が連通され、前記水噴き管の中には第二逆止め弁が設置され、これによりスプーンの洗浄を実現する。
【発明の効果】
【００１０】
本発明の有益効果は：本発明の設備は同じ動力源を利用して前記コーヒースプーンの収納と洗浄を連動させ、同時に上記機能の切り換える過程の中でスプーンの密封を実現し、スプーンをもっと衛生的にし、もっと携帯しやすくする。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の収納しやすい創意コーヒースプーンの全体構成模式図
【図２】図２は図１のＡの拡大構成模式図
【図３】図３は図２のＢ−Ｂの構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３に示すように、本発明の収納しやすい創意コーヒースプーンは、スプーン主体１０及び前記スプーン１０に設置された収納チャンバ１７を含み、前記収納チャンバ１７の頂壁の中には折り畳みチャンバ２８が連通され、前記折り畳みチャンバ２８の中には収納装置２００が設置され、前記収納チャンバ１７の底壁の中にはギヤチャンバ５０が設置され、前記ギヤチャンバ５０の中には密封装置３００が設置され、前記ギヤチャンバ５０の左側壁の中にはカムチャンバ５２が設置され、前記カムチャンバ５２と前記ギヤチャンバ５０との間には第一ウォーム２９が回転できるように設置され、前記ギヤチャンバ５０の中の前記第一ウォーム２９の末端には第一べベルギヤ５６が固定され、前記カムチャンバ５２の中には第一回転軸５３が回転できるように設置され、前記第一回転軸５３の外部には前記第一ウォーム２９と噛み合っている第一ウォームホイール３０と、前記第一ウォームホイール３０の前側に位置しているカム５４とが固定的に設置され、前記カムチャンバ５２の底壁の中にはスライドチャンバ３６が設置され、前記スライドチャンバ３６の中にはスライダ３４がスライドできるように設置され、前記スライドチャンバ３６と前記カムチャンバ５２との間にはスライド孔３２が連通され、前記スライド孔３２の中には前記スライダ３４と固定的に連結されたスライドロッド３３がスライドできるように設置され、前記スライドロッド３３と前記スライド孔３２の端壁との間には復帰装置３１が弾性を持つように設置され、前記スライドチャンバ３６の右側壁の中には切換チャンバ３９が連通され、前記切換チャンバ３９の中には切換装置４００が設置され、前記切換チャンバ３９の右側壁の中には水汲みチャンバ４３が設置され、前記水汲みチャンバ４３の底壁の中にはピストンチャンバ２０が設置され、前記ピストンチャンバ２０の中にはピストン４０が上下にスライドできるように設置され、前記ピストンチャンバ２０の中には洗浄装置５００が設置され、前記ピストンチャンバ２０の底壁の中には前記スプーン主体１０の外部に連通している水入り孔２３が設置され、前記水入り孔２３の中には第一逆止め弁２２が設置され、前記スプーン主体１０の底壁の中には前記収納チャンバ１７に連通している排水孔２４が設置され、前記収納装置２００と、前記密封装置３００と、前記切換装置４００と、前記洗浄装置５００とが協働し合い、これによりスプーン１８の収納と洗浄を実現する。
【００１５】
有益的には、前記収納装置２００は前記折り畳みチャンバ２８の中に回転できるように設置された第二回転軸２６を含み、前記第二回転軸２６の外部にはスプーンの柄１６が固定的に設置され、前記スプーンの柄１６の中にはヒンジチャンバ１３が設置され、前記ヒンジチャンバ１３の中の前記第二回転軸２６の外部には第二ウォームホイール２７が固定的に設置され、前記スプーンの柄１６の末端にはスプーン１８が固定され、前記折り畳みチャンバ２８の左側壁の中には下方へ伸びているベルトチャンバ１４が設置され、前記ベルトチャンバ１４と前記折り畳みチャンバ２８との間には前記第一ウォームホイール２７と噛み合っている第二ウォーム１２が回転できるように設置され、前記ベルトチャンバ１４の中の前記第二ウォーム１２の末端には第一プーリ１１が固定され、スプーン１８を収納することに便利を与え、スプーン１８の携帯をもっと便利又は衛生的にする。
【００１６】
有益的には、前記密封装置３００は前記収納チャンバ１７の底壁の中に設置された前記ギヤチャンバ５０を貫通している密封チャンバ２５を含み、前記密封チャンバ２５の中には左側壁がラックを有する密封ドア１９がスライドできるように設置され、前記ギヤチャンバ５０の中には第三回転軸５７が回転できるように設置され、前記第三回転軸５７が前記ギヤチャンバ５０の後側壁の中に固定的に設置された第一モーター５８と動力が伝達できるように連結され、前記第三回転軸５７の外部には前記第一べベルギヤ５６と噛み合っている第二べベルギヤ５５と、前記第二べベルギヤ５５の前側に位置しており、且つ前記密封ドア１９にあるラックと噛み合っている第一ギヤ５１とが固定的に設置され、これによりスプーン１８の密封を実現でき、スプーンが外界のウイルスに感染されることを防止する。
【００１７】
有益的には、前記切換装置４００は前記スライダ３４の右側壁の中に固定的に設置された第二モーター３５を含み、前記第二モーター３５の出力軸の右方へ伸びている末端には第二ギヤ４６が固定され、前記切換チャンバ３９と前記ベルトチャンバ１４との間には第四回転軸４８が回転できるように設置され、前記切換チャンバ３９の中の前記第四回転軸４８の末端には第三ギヤ４７が固定され、前記ベルトチャンバ１４の中の前記第四回転軸４８の末端には第二プーリ４９が固定され、前記第二プーリ４９と前記第一プーリ１１との間はベルト１５により伝動できるように連結され、これにより設備の前記洗浄装置５００と前記収納装置２００との間の動力切換を実現する。
【００１８】
有益的には、前記洗浄装置５００は前記水汲みチャンバ４３と前記切換チャンバ３９の間に回転できるように設置された第五回転軸３８を含み、前記切換チャンバ３９の中の前記第五回転軸３８の末端には前記第二ギヤ４６と噛み合っている第四ギヤ３７が固定され、前記水汲みチャンバ３９の中の前記第五回転軸３８の末端には回転盤４４が固定され、前記回転盤４４の右側壁にはヒンジ連結ロッド４５がヒンジにより連結され、前記水汲みチャンバ３９と前記ピストンチャンバ２０との間には連通孔４２が連通され、前記連通孔４２の中には前記ピストン４０と固定的に連結された推しロッド４１がスライドできるように設置され、前記推しロッド４１が前記ヒンジ連結ロッド４５とヒンジにより連結され、前記ピストンチャンバ２０と前記収納チャンバ１７との間には水噴き管５９が連通され、前記水噴き管５９の中には第二逆止め弁２１が設置され、これによりスプーン１８の洗浄を実現する。
【００１９】
以下、出願人は付図１〜３及び上記の本出願の収納しやすい創意コーヒースプーンの具体的な構成を参照して本出願の収納しやすい創意コーヒースプーンの使用方法を詳しく紹介する：
【００２０】
第一モーター５８を始動し、第一モーター５８が第三回転軸５７を連動させて回転させ、これにより第一ギヤ５１を連動させて回転させ、これにより密封ドア１９を連動させて下方へ移動させて密封ドア１９を開け、同時に第二べベルギヤ５５と、第一べベルギヤ５６と、第一ウォーム２９と、第一ウォームホイール３０と、カム５４とを連動させて次々と回転させ、これによりスライダ３４を連動させて上方へ移動させ、これにより第二ギヤ４６と第三ギヤ４７とを連動させて噛み合わせ、この時に第二モーター３５を始動し、第二モーター３５が第二ギヤ４６を連動させて回転させ、これにより第三ギヤ４７と、第二プーリ４９と、第一プーリ１１と、第二ウォーム１２と第二ウォームホイール２７とを連動させて次々と回転させ、これにより第二回転軸２６を連動させて回転させ、これにより第二回転軸２６がスプーンの柄１６を連動させて百八十度回転させ、この時に設備を利用してコーヒーを撹拌することに便利を与え、使用し終わった後、第二モーター３５を始動し、第二モーター３５が逆方向へ回転してスプーンの柄１６を連動させて逆方向へ百八十度回転させ、そして第一モーター５８を始動し、第一モーター５８が逆方向へ回転して密封ドア１９を連動させて上方へ移動させ、これにより密封ドア１９が収納チャンバ１７を密封し、第一モーター５８が逆方向へ回転してスライダ３４を連動させて下方へ移動させ、これにより第二ギヤ４６が第四ギヤ３７との噛み合うことに戻り、この時にスプーン主体をお湯を盛っているカップの中に置き、この時に第二モーター３５を始動し、第二モーター３５が第二ギヤ４６を連動させて回転させ、これにより第四ギヤ３７を連動させて回転し、これにより回転盤４４を連動させて回転させ、これによりピストン４０を連動させて上下に移動させ、ピストン４０がお湯をピストンチャンバ２０の中に汲んでから水噴き管５９によりお湯を収納チャンバ１７の中まで注ぎ、これによりコーヒースプーンの洗浄を実現し、洗浄したお湯がカップの中に流れる。
【００２１】
上記の詳細の紹介を通じてわかることは：本発明の設備は同じ動力源を利用して前記コーヒースプーンの収納と洗浄を連動させ、同時に上記機能の切り換える過程の中でスプーンの密封を実現し、スプーンをもっと衛生的にし、もっと携帯しやすくする。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175161.tif 000003
【図２】
2020175161.tif 000004
【図３】
2020175161.tif 000005
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
正面視で、スプーン主体及び前記スプーン主体に設置された収納チャンバを含み、前記収納チャンバの頂壁の中には折り畳みチャンバが連通され、前記折り畳みチャンバの中には収納装置が設置され、前記収納チャンバの底壁の中にはギヤチャンバが設置され、前記ギヤチャンバの中には密封装置が設置され、前記ギヤチャンバの左側壁の中にはカムチャンバが設置され、前記カムチャンバと前記ギヤチャンバとの間には第一ウォームが回転できるように設置され、前記ギヤチャンバの中の前記第一ウォームの末端には第一べベルギヤが固定され、前記カムチャンバの中には第一回転軸が回転できるように設置され、前記第一回転軸の外部には前記第一ウォームと噛み合っている第一ウォームホイールと、前記第一ウォームホイールの前側に位置しているカムとが固定的に設置され、前記カムチャンバの底壁の中にはスライドチャンバが設置され、前記スライドチャンバの中にはスライダがスライドできるように設置され、前記スライドチャンバと前記カムチャンバとの間にはスライド孔が連通され、前記スライド孔の中には前記スライダと固定的に連結されたスライドロッドがスライドできるように設置され、前記スライドロッドと前記スライド孔の端壁との間には復帰装置が弾性を持つように設置され、前記スライドチャンバの右側壁の中には切換チャンバが連通され、前記切換チャンバの中には切換装置が設置され、前記切換チャンバの右側壁の中には水汲みチャンバが設置され、前記水汲みチャンバの底壁の中にはピストンチャンバが設置され、前記ピストンチャンバの中にはピストンが上下にスライドできるように設置され、前記ピストンチャンバの中には洗浄装置が設置され、前記ピストンチャンバの底壁の中には前記スプーン主体の外部に連通している水入り孔が設置され、前記水入り孔の中には第一逆止め弁が設置され、前記スプーン主体の底壁の中には前記収納チャンバに連通している排水孔が設置され、前記収納装置と、前記密封装置と、前記切換装置と、前記洗浄装置とが協働し合い、これによりスプーンの収納と洗浄を実現することを特徴とする収納しやすい創意コーヒースプーン。
【請求項２】
前記収納装置は前記折り畳みチャンバの中に回転できるように設置された第二回転軸を含み、前記第二回転軸の外部にはスプーンの柄が固定的に設置され、前記スプーンの柄の中にはヒンジチャンバが設置され、前記ヒンジチャンバの中の前記第二回転軸の外部には第二ウォームホイールが固定的に設置され、前記スプーンの柄の末端にはスプーンが固定され、前記折り畳みチャンバの左側壁の中には下方へ伸びているベルトチャンバが設置され、前記ベルトチャンバと前記折り畳みチャンバとの間には前記第二ウォームホイールと噛み合っている第二ウォームが回転できるように設置され、前記ベルトチャンバの中の前記第二ウォームの末端には第一プーリが固定され、スプーンを収納することに便利を与え、スプーンの携帯をもっと便利又は衛生的にすることを特徴とする請求項１に記載の収納しやすい創意コーヒースプーン。
【請求項３】
前記密封装置は前記収納チャンバの底壁の中に設置された前記ギヤチャンバを貫通している密封チャンバを含み、前記密封チャンバの中には左側壁がラックを有する密封ドアがスライドできるように設置され、前記ギヤチャンバの中には第三回転軸が回転できるように設置され、前記第三回転軸が前記ギヤチャンバの後側壁の中に固定的に設置された第一モーターと動力が伝達できるように連結され、前記第三回転軸の外部には前記第一べベルギヤと噛み合っている第二べベルギヤと、前記第二べベルギヤの前側に位置しており、且つ前記密封ドアにあるラックと噛み合っている第一ギヤとが固定的に設置され、これによりスプーンの密封を実現でき、スプーンが外界のウイルスに感染されることを防止することを特徴とする請求項１に記載の収納しやすい創意コーヒースプーン。
【請求項４】
前記切換装置は前記スライダの右側壁の中に固定的に設置された第二モーターを含み、前記第二モーターの出力軸の右方へ伸びている末端には第二ギヤが固定され、前記切換チャンバと前記ベルトチャンバとの間には第四回転軸が回転できるように設置され、前記切換チャンバの中の前記第四回転軸の末端には第三ギヤが固定され、前記ベルトチャンバの中の前記第四回転軸の末端には第二プーリが固定され、前記第二プーリと前記第一プーリとの間はベルトにより伝動できるように連結され、これにより設備の前記洗浄装置と前記収納装置との間の動力切換を実現することを特徴とする請求項１に記載の収納しやすい創意コーヒースプーン。
【請求項５】
前記洗浄装置は前記水汲みチャンバと前記切換チャンバの間に回転できるように設置された第五回転軸を含み、前記切換チャンバの中の前記第五回転軸の末端には前記第二ギヤと噛み合っている第四ギヤが固定され、前記水汲みチャンバの中の前記第五回転軸の末端には回転盤が固定され、前記回転盤の右側壁にはヒンジ連結ロッドがヒンジにより連結され、前記水汲みチャンバと前記ピストンチャンバとの間には連通孔が連通され、前記連通孔の中には前記ピストンと固定的に連結された推しロッドがスライドできるように設置され、前記推しロッドが前記ヒンジ連結ロッドとヒンジにより連結され、前記ピストンチャンバと前記収納チャンバとの間には水噴き管が連通され、前記水噴き管の中には第二逆止め弁が設置され、これによりスプーンの洗浄を実現することを特徴とする請求項１に記載の収納しやすい創意コーヒースプーン。 
【手続補正２】
【補正対象書類名】明細書
【補正対象項目名】全文
【補正方法】変更
【補正の内容】
【発明の詳細な説明】
【技術分野】
【０００１】
本発明は飲食物用品分野を取り上げて、具体的には収納しやすい創意コーヒースプーンである。
【背景技術】
【０００２】
人はコーヒーを飲む時によく自分好みで適当な砂糖を入れ、時々砂糖が入れられた後溶けにくく、適当に撹拌して砂糖の溶けることを速め、しかし従来のコーヒースプーンは携帯しにくく、且つ衛生上よくなく、そのため、携帯しやすくて洗浄しやすいコーヒースプーンを設計して上記の問題を改善する必要がある。 
【先行技術文献】
【特許文献】
【０００３】
【特許文献１】中国特許出願公開第１０９５８９２６７号明細書
【発明の概要】
【発明が解決しようとする課題】
【０００４】
本発明は収納しやすい創意コーヒースプーンを提供し、従来技術における上記欠点を解消して設備の実用性を高めることを目的とする。
【課題を解決するための手段】
【０００５】
本発明の収納しやすい創意コーヒースプーンは、スプーン主体及び前記スプーン主体に設置された収納チャンバを含み、前記収納チャンバの頂壁の中には折り畳みチャンバが連通され、前記折り畳みチャンバの中には収納装置が設置され、前記収納チャンバの底壁の中にはギヤチャンバが設置され、前記ギヤチャンバの中には密封装置が設置され、前記ギヤチャンバの左側壁の中にはカムチャンバが設置され、前記カムチャンバと前記ギヤチャンバとの間には第一ウォームが回転できるように設置され、前記ギヤチャンバの中の前記第一ウォームの末端には第一べベルギヤが固定され、前記カムチャンバの中には第一回転軸が回転できるように設置され、前記第一回転軸の外部には前記第一ウォームと噛み合っている第一ウォームホイールと、前記第一ウォームホイールの前側に位置しているカムとが固定的に設置され、前記カムチャンバの底壁の中にはスライドチャンバが設置され、前記スライドチャンバの中にはスライダがスライドできるように設置され、前記スライドチャンバと前記カムチャンバとの間にはスライド孔が連通され、前記スライド孔の中には前記スライダと固定的に連結されたスライドロッドがスライドできるように設置され、前記スライドロッドと前記スライド孔の端壁との間には復帰装置が弾性を持つように設置され、前記スライドチャンバの右側壁の中には切換チャンバが連通され、前記切換チャンバの中には切換装置が設置され、前記切換チャンバの右側壁の中には水汲みチャンバが設置され、前記水汲みチャンバの底壁の中にはピストンチャンバが設置され、前記ピストンチャンバの中にはピストンが上下にスライドできるように設置され、前記ピストンチャンバの中には洗浄装置が設置され、前記ピストンチャンバの底壁の中には前記スプーン主体の外部に連通している水入り孔が設置され、前記水入り孔の中には第一逆止め弁が設置され、前記スプーン主体の底壁の中には前記収納チャンバに連通している排水孔が設置され、前記収納装置と、前記密封装置と、前記切換装置と、前記洗浄装置とが協働し合い、これによりスプーンの収納と洗浄を実現する。
【０００６】
好ましくは、前記収納装置は前記折り畳みチャンバの中に回転できるように設置された第二回転軸を含み、前記第二回転軸の外部にはスプーンの柄が固定的に設置され、前記スプーンの柄の中にはヒンジチャンバが設置され、前記ヒンジチャンバの中の前記第二回転軸の外部には第二ウォームホイールが固定的に設置され、前記スプーンの柄の末端にはスプーンが固定され、前記折り畳みチャンバの左側壁の中には下方へ伸びているベルトチャンバが設置され、前記ベルトチャンバと前記折り畳みチャンバとの間には前記第二ウォームホイールと噛み合っている第二ウォームが回転できるように設置され、前記ベルトチャンバの中の前記第二ウォームの末端には第一プーリが固定され、スプーンを収納することに便利を与え、スプーンの携帯をもっと便利又は衛生的にする。
【０００７】
好ましくは、前記密封装置は前記収納チャンバの底壁の中に設置された前記ギヤチャンバを貫通している密封チャンバを含み、前記密封チャンバの中には左側壁がラックを有する密封ドアがスライドできるように設置され、前記ギヤチャンバの中には第三回転軸が回転できるように設置され、前記第三回転軸が前記ギヤチャンバの後側壁の中に固定的に設置された第一モーターと動力が伝達できるように連結され、前記第三回転軸の外部には前記第一べベルギヤと噛み合っている第二べベルギヤと、前記第二べベルギヤの前側に位置しており、且つ前記密封ドアにあるラックと噛み合っている第一ギヤとが固定的に設置され、これによりスプーンの密封を実現でき、スプーンが外界のウイルスに感染されることを防止する。
【０００８】
好ましくは、前記切換装置は前記スライダの右側壁の中に固定的に設置された第二モーターを含み、前記第二モーターの出力軸の右方へ伸びている末端には第二ギヤが固定され、前記切換チャンバと前記ベルトチャンバとの間には第四回転軸が回転できるように設置され、前記切換チャンバの中の前記第四回転軸の末端には第三ギヤが固定され、前記ベルトチャンバの中の前記第四回転軸の末端には第二プーリが固定され、前記第二プーリと前記第一プーリとの間はベルトにより伝動できるように連結され、これにより設備の前記洗浄装置と前記収納装置との間の動力切換を実現する。
【０００９】
好ましくは、前記洗浄装置は前記水汲みチャンバと前記切換チャンバの間に回転できるように設置された第五回転軸を含み、前記切換チャンバの中の前記第五回転軸の末端には前記第二ギヤと噛み合っている第四ギヤが固定され、前記水汲みチャンバの中の前記第五回転軸の末端には回転盤が固定され、前記回転盤の右側壁にはヒンジ連結ロッドがヒンジにより連結され、前記水汲みチャンバと前記ピストンチャンバとの間には連通孔が連通され、前記連通孔の中には前記ピストンと固定的に連結された推しロッドがスライドできるように設置され、前記推しロッドが前記ヒンジ連結ロッドとヒンジにより連結され、前記ピストンチャンバと前記収納チャンバとの間には水噴き管が連通され、前記水噴き管の中には第二逆止め弁が設置され、これによりスプーンの洗浄を実現する。
【発明の効果】
【００１０】
本発明の有益効果は：本発明の設備は同じ動力源を利用して前記コーヒースプーンの収納と洗浄を連動させ、同時に上記機能の切り換える過程の中でスプーンの密封を実現し、スプーンをもっと衛生的にし、もっと携帯しやすくする。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の収納しやすい創意コーヒースプーンの全体構成模式図
【図２】図２は図１のＡの拡大構成模式図
【図３】図３は図２のＢ−Ｂの構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３に示すように、本発明の収納しやすい創意コーヒースプーンは、スプーン主体１０及び前記スプーン主体１０に設置された収納チャンバ１７を含み、前記収納チャンバ１７の頂壁の中には折り畳みチャンバ２８が連通され、前記折り畳みチャンバ２８の中には収納装置２００が設置され、前記収納チャンバ１７の底壁の中にはギヤチャンバ５０が設置され、前記ギヤチャンバ５０の中には密封装置３００が設置され、前記ギヤチャンバ５０の左側壁の中にはカムチャンバ５２が設置され、前記カムチャンバ５２と前記ギヤチャンバ５０との間には第一ウォーム２９が回転できるように設置され、前記ギヤチャンバ５０の中の前記第一ウォーム２９の末端には第一べベルギヤ５６が固定され、前記カムチャンバ５２の中には第一回転軸５３が回転できるように設置され、前記第一回転軸５３の外部には前記第一ウォーム２９と噛み合っている第一ウォームホイール３０と、前記第一ウォームホイール３０の前側に位置しているカム５４とが固定的に設置され、前記カムチャンバ５２の底壁の中にはスライドチャンバ３６が設置され、前記スライドチャンバ３６の中にはスライダ３４がスライドできるように設置され、前記スライドチャンバ３６と前記カムチャンバ５２との間にはスライド孔３２が連通され、前記スライド孔３２の中には前記スライダ３４と固定的に連結されたスライドロッド３３がスライドできるように設置され、前記スライドロッド３３と前記スライド孔３２の端壁との間には復帰装置３１が弾性を持つように設置され、前記スライドチャンバ３６の右側壁の中には切換チャンバ３９が連通され、前記切換チャンバ３９の中には切換装置４００が設置され、前記切換チャンバ３９の右側壁の中には水汲みチャンバ４３が設置され、前記水汲みチャンバ４３の底壁の中にはピストンチャンバ２０が設置され、前記ピストンチャンバ２０の中にはピストン４０が上下にスライドできるように設置され、前記ピストンチャンバ２０の中には洗浄装置５００が設置され、前記ピストンチャンバ２０の底壁の中には前記スプーン主体１０の外部に連通している水入り孔２３が設置され、前記水入り孔２３の中には第一逆止め弁２２が設置され、前記スプーン主体１０の底壁の中には前記収納チャンバ１７に連通している排水孔２４が設置され、前記収納装置２００と、前記密封装置３００と、前記切換装置４００と、前記洗浄装置５００とが協働し合い、これによりスプーン１８の収納と洗浄を実現する。
【００１５】
有益的には、前記収納装置２００は前記折り畳みチャンバ２８の中に回転できるように設置された第二回転軸２６を含み、前記第二回転軸２６の外部にはスプーンの柄１６が固定的に設置され、前記スプーンの柄１６の中にはヒンジチャンバ１３が設置され、前記ヒンジチャンバ１３の中の前記第二回転軸２６の外部には第二ウォームホイール２７が固定的に設置され、前記スプーンの柄１６の末端にはスプーン１８が固定され、前記折り畳みチャンバ２８の左側壁の中には下方へ伸びているベルトチャンバ１４が設置され、前記ベルトチャンバ１４と前記折り畳みチャンバ２８との間には前記第二ウォームホイール２７と噛み合っている第二ウォーム１２が回転できるように設置され、前記ベルトチャンバ１４の中の前記第二ウォーム１２の末端には第一プーリ１１が固定され、スプーン１８を収納することに便利を与え、スプーン１８の携帯をもっと便利又は衛生的にする。
【００１６】
有益的には、前記密封装置３００は前記収納チャンバ１７の底壁の中に設置された前記ギヤチャンバ５０を貫通している密封チャンバ２５を含み、前記密封チャンバ２５の中には左側壁がラックを有する密封ドア１９がスライドできるように設置され、前記ギヤチャンバ５０の中には第三回転軸５７が回転できるように設置され、前記第三回転軸５７が前記ギヤチャンバ５０の後側壁の中に固定的に設置された第一モーター５８と動力が伝達できるように連結され、前記第三回転軸５７の外部には前記第一べベルギヤ５６と噛み合っている第二べベルギヤ５５と、前記第二べベルギヤ５５の前側に位置しており、且つ前記密封ドア１９にあるラックと噛み合っている第一ギヤ５１とが固定的に設置され、これによりスプーン１８の密封を実現でき、スプーンが外界のウイルスに感染されることを防止する。
【００１７】
有益的には、前記切換装置４００は前記スライダ３４の右側壁の中に固定的に設置された第二モーター３５を含み、前記第二モーター３５の出力軸の右方へ伸びている末端には第二ギヤ４６が固定され、前記切換チャンバ３９と前記ベルトチャンバ１４との間には第四回転軸４８が回転できるように設置され、前記切換チャンバ３９の中の前記第四回転軸４８の末端には第三ギヤ４７が固定され、前記ベルトチャンバ１４の中の前記第四回転軸４８の末端には第二プーリ４９が固定され、前記第二プーリ４９と前記第一プーリ１１との間はベルト１５により伝動できるように連結され、これにより設備の前記洗浄装置５００と前記収納装置２００との間の動力切換を実現する。
【００１８】
有益的には、前記洗浄装置５００は前記水汲みチャンバ４３と前記切換チャンバ３９の間に回転できるように設置された第五回転軸３８を含み、前記切換チャンバ３９の中の前記第五回転軸３８の末端には前記第二ギヤ４６と噛み合っている第四ギヤ３７が固定され、前記水汲みチャンバ３９の中の前記第五回転軸３８の末端には回転盤４４が固定され、前記回転盤４４の右側壁にはヒンジ連結ロッド４５がヒンジにより連結され、前記水汲みチャンバ３９と前記ピストンチャンバ２０との間には連通孔４２が連通され、前記連通孔４２の中には前記ピストン４０と固定的に連結された推しロッド４１がスライドできるように設置され、前記推しロッド４１が前記ヒンジ連結ロッド４５とヒンジにより連結され、前記ピストンチャンバ２０と前記収納チャンバ１７との間には水噴き管５９が連通され、前記水噴き管５９の中には第二逆止め弁２１が設置され、これによりスプーン１８の洗浄を実現する。
【００１９】
以下、出願人は付図１〜３及び上記の本出願の収納しやすい創意コーヒースプーンの具体的な構成を参照して本出願の収納しやすい創意コーヒースプーンの使用方法を詳しく紹介する：
【００２０】
第一モーター５８を始動し、第一モーター５８が第三回転軸５７を連動させて回転させ、これにより第一ギヤ５１を連動させて回転させ、これにより密封ドア１９を連動させて下方へ移動させて密封ドア１９を開け、同時に第二べベルギヤ５５と、第一べベルギヤ５６と、第一ウォーム２９と、第一ウォームホイール３０と、カム５４とを連動させて次々と回転させ、これによりスライダ３４を連動させて上方へ移動させ、これにより第二ギヤ４６と第三ギヤ４７とを連動させて噛み合わせ、この時に第二モーター３５を始動し、第二モーター３５が第二ギヤ４６を連動させて回転させ、これにより第三ギヤ４７と、第二プーリ４９と、第一プーリ１１と、第二ウォーム１２と第二ウォームホイール２７とを連動させて次々と回転させ、これにより第二回転軸２６を連動させて回転させ、これにより第二回転軸２６がスプーンの柄１６を連動させて百八十度回転させ、この時に設備を利用してコーヒーを撹拌することに便利を与え、使用し終わった後、第二モーター３５を始動し、第二モーター３５が逆方向へ回転してスプーンの柄１６を連動させて逆方向へ百八十度回転させ、そして第一モーター５８を始動し、第一モーター５８が逆方向へ回転して密封ドア１９を連動させて上方へ移動させ、これにより密封ドア１９が収納チャンバ１７を密封し、第一モーター５８が逆方向へ回転してスライダ３４を連動させて下方へ移動させ、これにより第二ギヤ４６が第四ギヤ３７との噛み合うことに戻り、この時にスプーン主体をお湯を盛っているカップの中に置き、この時に第二モーター３５を始動し、第二モーター３５が第二ギヤ４６を連動させて回転させ、これにより第四ギヤ３７を連動させて回転し、これにより回転盤４４を連動させて回転させ、これによりピストン４０を連動させて上下に移動させ、ピストン４０がお湯をピストンチャンバ２０の中に汲んでから水噴き管５９によりお湯を収納チャンバ１７の中まで注ぎ、これによりコーヒースプーンの洗浄を実現し、洗浄したお湯がカップの中に流れる。
【００２１】
上記の詳細の紹介を通じてわかることは：本発明の設備は同じ動力源を利用して前記コーヒースプーンの収納と洗浄を連動させ、同時に上記機能の切り換える過程の中でスプーンの密封を実現し、スプーンをもっと衛生的にし、もっと携帯しやすくする。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。